(57)【要約】【課題】  帳票処理を迅速かつ正確におこなう帳票識別装置を提供する。【解決手段】  帳票識別装置１００は、帳票の様式を示す罫線情報、或いは、罫線情報及び特徴情報に基づき、受け付けた帳票の帳票様式判定を迅速に行う様式判定部１２と、判定された帳票様式の所定領域を抽出し、かつ該所定領域と予め設定された確認項目とを照合し、該照合の結果に基づき、該所定領域が該確認項目と一致するか否かを正確に判定する抽出照合判定部１６と、該確認項目が前記所定領域に対応しないと判定されたとき、当該帳票の様式が前記受け付けた帳票の様式に一致しない旨を示す判定情報を出力する判定通知部１８とを備える。【選択図】        図１
2005242786.tif 000002
【特許請求の範囲】
【請求項１】
帳票の特徴を示す文字列と、罫線で区切られた領域に項目とが示されている帳票を受入れて識別する帳票識別装置において、
帳票の様式を罫線で定めた罫線情報と、該罫線情報に対応付けられており、前記文字列をパターン認識して判定するための特徴情報とが帳票様式に対応付けて保持される様式情報保持部と、
前記帳票様式で区切られる領域に関係付けられた確認項目と、該確認項目の前記領域を前記受入れた帳票において特定するための位置情報とを確認情報として保持する確認情報保持部と、
前記様式情報保持部で保持する前記罫線情報に基づいて帳票様式を特定する特定手段と、前記罫線情報および前記特徴情報に基づき前記帳票の帳票様式を特定する特定手段との何れか一方の手段により、前記受入れた帳票の様式を判定する様式判定部と、
前記様式判定部で判定した帳票様式に基づいて前記確認情報保持部から前記確認情報を取得すると、該確認情報の位置情報に基づいて前記受入れた帳票の領域を抽出し、該領域に示されている前記項目と、取得した確認情報の確認項目とを照合する抽出照合判定部とを備えることを特徴とする帳票識別装置。
【請求項２】
帳票の特徴を示す文字列と、罫線で区切られた領域に項目とが示されている帳票を受入れて識別する帳票識別方法において、
帳票の様式を罫線で定めた罫線情報と、該罫線情報に対応付けられており、前記文字列をパターン認識して判定するための特徴情報とが帳票様式に対応付けて保持すること、
前記帳票様式で区切られる領域に関係付けられた確認項目と、該確認項目の前記領域を前記受入れた帳票において特定するための位置情報とを確認情報として保持すること、
前記罫線情報に基づいて、帳票様式を特定する特定手段と、前記罫線情報および前記特徴情報に基づき前記帳票の帳票様式を特定する特定手段との何れか一方の手段により、前記受入れた帳票の様式を判定すること、
前記判定した帳票様式に基づいて、前記確認情報を取得し、該確認情報の位置情報に基づいて、前記受入れた帳票の領域を抽出し、該領域に示されている前記項目と、取得した確認情報の確認項目とを照合すること、
を特徴とする帳票識別方法。
【発明の詳細な説明】
【技術分野】
【０００１】
本発明は、銀行のような金融機関で取り扱う帳票のイメージ画像に基づき当該帳票を識別する帳票識別装置および該装置のための帳票識別方法に関する。
【背景技術】
【０００２】
従来、金融機関では、振込依頼書のような様々な様式の帳票を取り扱うにあたり、予め帳票のイメージ画像を光学的文字読取装置（ＯＣＲ）により取得し、当該帳票の罫線の特徴を罫線情報として登録する。従来の帳票識別装置では、帳票を受け入れると、予め登録された罫線情報に基づいて、当該帳票の罫線情報と照合を行って受入れた帳票の識別を行う。その後、帳票識別装置は、帳票の罫線情報に基づいて当該帳票から金額や口座番号等の項目内容を示す帳票データを抽出し、それらをホストコンピュータへ送信する。このような帳票の識別に関する技術は、例えば、後述する非特許文献１に記載されている。
【０００３】
【非特許文献１】「沖テクニカルレビュー」  沖電気工業株式会社発行、２００２年７月、第１９１号、Ｖｏｌ．６９、Ｎｏ．３、ｐ．９８−１０１（「Image／OCRコンポーネント」）
【発明の開示】
【発明が解決しようとする課題】
【０００４】
ところで、上記のような従来技術では、以下のような解決すべき課題があった。即ち、罫線の特徴が同一であるが、その罫線で区切られた領域の項目内容が異なる帳票を識別処理する場合、単に罫線の特徴のみで帳票を識別すると、項目内容を取り違えて帳票データを抽出する恐れがあった。例えば、口座番号と金額などを取り違えて帳票データの抽出がなされてしまう恐れがあり、これが問題となっていた。
【０００５】
また、受け付けた帳票の帳票様式の選定誤りを防止するあまり、該帳票様式選定の際に、帳票の特徴を示す「帳票名」、「会社名」、「振込先」等の複数の帳票の特徴情報を同時に用いて選定を行うため、帳票様式選定の処理に時間が掛かってしまうといった問題があった。
【０００６】
本発明は、前記した課題に鑑みてなされたものであり、受け付けた帳票に対する処理を迅速かつ正確に行うための帳票識別装置および該装置のための帳票識別方法を提供することを目的とする。
【課題を解決するための手段】
【０００７】
帳票の特徴を示す表題（文字列）と、罫線で区切られた領域に項目とが示されている帳票を受入れて識別する帳票識別装置において、帳票の様式を罫線で定めた罫線情報と、該罫線情報に対応付けられており、前記表題（文字列）をパターン認識して判定するための特徴情報とが帳票様式に対応付けて保持される様式情報保持部と、前記帳票様式で区切られる領域に関係付けられた確認項目と、該確認項目の前記領域を前記受入れた帳票において特定するための位置情報とを確認情報として保持する確認情報保持部と、前記様式情報保持部で保持する前記罫線情報に基づいて帳票様式を特定する特定手段と、前記罫線情報および前記特徴情報に基づき前記帳票の帳票様式を特定する特定手段との何れか一方の手段により、前記受入れた帳票の様式を判定する様式判定部と、前記様式判定部で判定した帳票様式に基づいて前記確認情報保持部から前記確認情報を取得すると、該確認情報の位置情報に基づいて前記受入れた帳票の領域を抽出し、該領域に示されている前記項目と、取得した確認情報の確認項目とを照合する抽出照合判定部とを備えることを特徴とする。
【０００８】
帳票の特徴を示す表題（文字列）と、罫線で区切られた領域に項目とが示されている帳票を受入れて識別する帳票識別方法において、帳票の様式を罫線で定めた罫線情報と、該罫線情報に対応付けられており、前記表題（文字列）をパターン認識して判定するための特徴情報とが帳票様式に対応付けて保持すること、前記帳票様式で区切られる領域に関係付けられた確認項目と、該確認項目の前記領域を前記受入れた帳票において特定するための位置情報とを確認情報として保持すること、前記罫線情報に基づいて、帳票様式を特定する特定手段と、前記罫線情報および前記特徴情報に基づき前記帳票の帳票様式を特定する特定手段との何れか一方の手段により、前記受入れた帳票の様式を判定すること、前記判定した帳票様式に基づいて、前記確認情報を取得し、該確認情報の位置情報に基づいて、前記受入れた帳票の領域を抽出し、該領域に示されている前記項目と、取得した確認情報の確認項目とを照合することを特徴とする。
【発明の効果】
【０００９】
本発明に係る帳票識別装置によれば、帳票の様式を罫線で定めた罫線情報と、該罫線情報に対応付けられており、前記表題（文字列）をパターン認識して判定するための特徴情報とが帳票様式に対応付けて保持される様式情報保持部と、前記帳票様式で区切られる領域に関係付けられた確認項目と、該確認項目の前記領域を前記受入れた帳票において特定するための位置情報とを確認情報として保持する確認情報保持部と、前記様式情報保持部で保持する前記罫線情報に基づいて帳票様式を特定する特定手段と、前記罫線情報および前記特徴情報に基づき前記帳票の帳票様式を特定する特定手段との何れか一方の手段により、前記受入れた帳票の様式を迅速に判定する様式判定部と、帳票様式判定の正確性を向上させるために、前記様式判定部で判定した帳票様式に基づいて、前記確認情報保持部から前記確認情報を取得し、該確認情報の位置情報に基づいて、前記受入れた帳票の所定領域を抽出し、該領域に示されている前記項目と、取得した確認情報の確認項目とを照合する抽出照合判定部とを備えることにより、受け付けた帳票の様式が様式情報に一致しない時、その旨を示す判定情報が判定通知部により出力されることから、オペレータは、当該帳票の処理が中止される原因を明確に認識することができる。これにより、帳票処理の迅速さ及び正確さが向上され、オペレータの確認及び修正作業を削減し、かつ、誤送金等の事故発生を抑止することが可能となり帳票処理の効率化を図ることができる。
【発明を実施するための最良の形態】
【００１０】
以下、本発明の実施形態を図１〜５を用いて詳細に説明する。
なお、本実施例１の表題（文字列）とは、例えば、帳票の特徴を示す会社名、帳票名、及び、帳票ＩＤのことを意味している。
【実施例１】
【００１１】
図１は、本発明に係る帳票識別装置の実施例１の構成を示すブロック図である。実施例１の帳票識別装置１００は、銀行の金融処理を行うホストコンピュータに通信可能に接続された端末コンピュータであり、顧客から受け付けた振込依頼書のような帳票のイメージ画像を用いて当該帳票の様式に関する判定を行う。
【００１２】
帳票識別装置１００は、図１に示すように、帳票のイメージ画像を読み取るイメージスキャナのような機能を果たす画像取得部１１と、複数の帳票の帳票様式を示す情報を保持する記憶部１３と、画像取得部１１により読み取った帳票のイメージ画像に照合すべき帳票の帳票様式を特定する様式判定部１２と、該様式判定部で判定された帳票の帳票様式に沿って、受け付けた帳票の所定領域を抽出し、該抽出した領域に示されている項目と、予め設定された確認情報の確認項目とを照合する抽出照合判定部と、イメージ画像に表される金額や口座番号のような帳票データをホストコンピュータに送信するデータ送信部１７と、抽出照合判定部１６による前記照合の結果に応じて後述する判定情報を出力する判定通知部１８と、判定情報に基づきオペレータに向けて通知文を画面表示する表示制御部１９とを備える。
【００１３】
記憶部１３は、様式情報保持部１４と確認情報保持部１５を備えており、前記様式情報保持部１４は、例えば、図３に示すような帳票の様式を罫線で定めた罫線情報と、該罫線情報に対応付けられた表題（文字列）をパターン認識して判定するための特徴情報とを保持している。
【００１４】
また、前記確認情報保持部１５は、例えば、図４に示すような罫線様式で区切られる領域に関係付けられた確認項目と、該確認項目の前記領域を前記受入れた帳票において特定するための位置情報とを確認情報として保持している。
【００１５】
本実施例の様式判定部１２は、従来よく知られた罫線認識技術を用いて、処理対象となる帳票の罫線情報に基づいて、或いは、前記罫線情報および前記特徴情報に基づいて、受け付けた帳票の帳票様式を迅速に判定する。
【００１６】
帳票識別装置１００は、例えば図４に示す帳票Ｂのような帳票を受け付けることがある。この帳票Ｂは、図示されているように、罫線の特徴が帳票Ａと一致し、確認情報の「金額」および「口座番号」の位置が帳票Ａのそれらと異なる帳票である。
抽出照合判定部１６は、帳票Ａに類似する帳票Ｂのような帳票を帳票Ａとして誤認識することを防止すべく、従来の技術と同様に、受け付けた帳票の様式を詳細に確認するための確認情報の項目を抽出する。本実施例１では、図３に示すような帳票Ａの帳票様式において、「金額」、「口座番号」および「受取人」の各項目の領域が確認情報ａ、確認情報ｂおよび確認情報ｃとして予め確認情報保持部１５に設定かつ保持されている。確認情報の設定個所は、この例に限らず、帳票の任意の個所に設定することができる。
【００１７】
抽出照合判定部１６は、前記したような確認情報の各項目が様式判定部により判定された帳票の帳票様式から抽出した項目と一致する場合、処理対象の帳票の帳票様式が一致すると判断する。その場合、抽出照合判定部１６は、データ送信部１７に対し、前記帳票の帳票様式に基づき得られる金額「１２０００」や口座番号「０１２３４５６」のような帳票データをホストコンピュータに送信するよう指示する。
【００１８】
また、上記のような確認情報の各項目と判定された帳票の帳票様式から抽出された項目とが一致しない時、判定通知部１８は、この帳票の帳票様式が当該帳票の様式と一致しないと判断する。そして、その旨をオペレータに通知すべく、例えば「本帳票の様式は登録様式に一致しませんので手続きを中止します。」のような通知文を示す判定情報を表示制御部１９へ供給する。
帳票の罫線の特徴に基づき選定された帳票様式と、当該帳票の様式とが一致しないことは、当該帳票の様式が様式情報保持部１４に登録されていない、または、酷似した帳票様式を誤って選択している可能性があると考えられる。従って、本実施例１では、手続き中止の原因が帳票様式の未登録または誤った帳票様式判定であることを示唆する判定情報をオペレータに提示する。
【００１９】
実施例１の帳票識別装置１００による一連の動作を、図５に示すフローチャートに沿って説明する。ここでは、図２に示す帳票Ａに対応する帳票様式（図３）が予め様式情報保持部１４に登録されている時に、当該帳票様式に類似する様式を持つ帳票Ｂ（図４）が受け付けられた例を説明する。
【００２０】
帳票識別装置１００に帳票Ｂが受け付けられると、画像取得部１１は、当該帳票Ｂのイメージ画像を取得し、これを様式判定部１２へ供給する（ステップＳ１）。
様式判定部１２は、供給されたイメージ画像の罫線情報に基づいて、或いは、罫線情報及び特徴情報に基づいて、帳票の帳票様式を特定し、該特定結果に対応する帳票様式を様式情報保持部１４から判定する（ステップＳ２）。
ここでは、帳票Ａに対応した図３に示す帳票様式が判定される。
【００２１】
様式判定部１２より迅速に判定された帳票様式結果をより正確性が高い判定結果にするため、抽出照合判定部１６は、様式判定部１２により判定された帳票様式に基づいて、確認情報保持部１５から確認情報を取得し、該確認情報の位置情報に基づいて、受け付けた帳票の帳票様式の対応する所定領域を抽出する（ステップＳ３）。
これにより、図４に示すように、帳票Ｂのイメージ画像の確認情報ａから「口座番号」の項目が得られ、確認情報ｂから「金額」の項目が得られ、そして確認情報ｃから「受取人」の項目が得られる。
【００２２】
引き続き、抽出照合判定部１６は、該抽出された所定領域に示されている項目と、取得した確認情報の各項目とを照合し、帳票Ｂの様式について判定する（ステップＳ４）。
図３および図４に示すように、例えば、確認情報ｃについては、帳票Ｂの抽出領域の項目および確認情報の項目が共に「受取人」となることから、この所定領域ｃに関しては両者が対応する。しかし、確認情報ａについては、帳票Ｂの抽出領域の項目は「口座番号」であり、確認情報の項目は、「金額」と記載されていることから両者は一致せず、確認情報ｂについても、帳票Ｂの抽出領域の項目は、「金額」と確認情報の項目は、「口座番号」とが一致しない。尚、これらの帳票Ｂの項目のデータは、例えば、ＯＣＲ等によって文字列として抽出することで得ることが可能である。このように、全ての確認情報のうちの少なくとも１つの所定領域において、受け付けた帳票の抽出領域が対応しない場合、本実施例１の抽出照合判定部１６は、当該帳票の帳票様式に一致しないと判定する。従って、この例では、様式情報保持部１４から選定された帳票様式は、受け付けた帳票の様式に一致しないと判定される（ステップＳ４：Ｎ）。
【００２３】
受け付けた帳票の様式が帳票Ｂの様式に一致しないと判定されたとき、判定通知部１８は、帳票Ｂの様式が未登録または誤判定である旨を示す前記した判定情報を準備し（ステップＳ５）、この判定情報を表示制御部１９へ供給する。表示制御部１９は、供給された判定情報を用いて、帳票Ｂの様式の登録を促す通知文を画面表示する（ステップＳ６）。これにより、オペレータは、帳票Ｂの処理を中止される原因が、様式の未登録または誤った判定であることを認識することができる。
【００２４】
また、仮に、処理すべき帳票における全ての確認情報において、その項目内容が対応する場合は、該帳票様式が受け付けた帳票の様式に一致すると判定される（ステップＳ４：Ｙ）。この場合、データ送信部１７は、帳票のイメージデータを用いて前記した帳票データを作成し（ステップＳ７）、当該帳票データをホストコンピュータに送信する（ステップＳ８）。
【００２５】
実施例１の帳票識別装置１００によれば、帳票の様式を罫線で定めた罫線情報と、該罫線情報に対応付けられており、前記表題（文字列）をパターン認識して判定するための特徴情報とが帳票様式に対応付けて保持される様式情報保持部１４と、前記帳票様式で区切られる領域に関係付けられた確認項目と、該確認項目の前記領域を前記受入れた帳票において特定するための位置情報とを確認情報として保持する確認情報保持部１５と、前記様式情報保持部１４で保持する前記罫線情報に基づいて帳票様式を特定する特定手段と、前記罫線情報および前記特徴情報に基づき前記帳票の帳票様式を特定する特定手段との何れか一方の手段により、前記受入れた帳票の様式を迅速に判定する様式判定部１２と、帳票様式判定の正確性を向上させるために、前記様式判定部１２で判定した帳票様式に基づいて、前記確認情報保持部から前記確認情報を取得し、該確認情報の位置情報に基づいて、前記受入れた帳票の所定領域を抽出し、該領域に示されている前記項目と、取得した確認情報の確認項目とを照合する抽出照合判定部１６とを備えることにより、受け付けた帳票の様式が様式情報に一致しない時、その旨を示す判定情報が判定通知部１８により出力されることから、オペレータは、当該帳票の処理が中止される原因を明確に認識することができる。これにより、帳票処理の迅速さ及び正確さが向上され、オペレータの確認及び修正作業を削減し、かつ、誤送金等の事故発生を抑止することが可能となり帳票処理の効率化を図ることができる。
【００２６】
前記実施例１では、処理対象の帳票の様式が帳票様式に一致しない場合、オペレータに当該様式の新規登録を促す通知を行ったが、これに先立ち、抽出照合判定部１６が他の帳票様式を取得するように様式判定部１２に指示することができる。これは、様式情報保持部１４に、罫線の特徴が一致する他の帳票様式が存在する可能性を考慮したものであり、他の帳票様式も当該帳票の様式に一致しないと判定されたとき、当該様式が未登録であると判断する。これにより、同一様式が重複して登録されることを抑制できる。
【００２７】
また、前記実施例１では、単一の帳票が処理される例を説明したが、いわゆるバッチ処理のように、多数の帳票を一括的に処理する場合は、前記した通知文を帳票毎に画面表示することに代えて、様式が未登録の帳票に関する一覧を作成し、これをバッチ処理の結果と共に出力するようにしてもよい。これにより、バッチ処理された帳票のうちのいずれの帳票の様式が未登録であるかを認識することができる。
【００２８】
また、判定通知部１８により出力される判定情報を所定の印刷機構により印刷出力するようにしてもよい。
【図面の簡単な説明】
【００２９】
【図１】本発明に係る帳票識別装置の実施例１の構成を示すブロック図である。
【図２】実施例１の帳票（その１）を説明するための説明図である。
【図３】帳票（その１）の罫線様式情報を説明するための説明図である。
【図４】実施例１の帳票（その２）を説明するための説明図である。
【図５】実施例１の帳票識別装置の動作を示すフローチャートである。
【符号の説明】
【００３０】
１００  帳票識別装置
１１  画像取得部
１２  様式判定部
１３  記憶部
１４  様式情報保持部
１５  確認情報保持部
１６  抽出照合判定部
１７  データ送信部
１８  判定通知部
１９  表示制御部
【図１】
2005242786.tif 000003
【図２】
2005242786.tif 000004
【図３】
2005242786.tif 000005
【図４】
2005242786.tif 000006
【図５】
2005242786.tif 000007